(57)【要約】【課題】  大型の角型壜体で、壜体の形状を大きく変更することなく胴部に十分に掴持性を発揮できるためのグリップ部を形成することを課題とし、もって掴持性に優れ、安心して使用できる合成樹脂製の角型壜体を提供することを目的とする。【解決手段】  平断面形状が長方形状の胴部を有し、略中央高さ位置に周溝状のウエスト部を形成した合成樹脂製の角型壜体において、長方形状の長辺側を形成する両長辺側壁のそれぞれに、指掛けのための凹部を、上端部をウエスト部に連結させた状態で、ウエスト部から下方に至るの所定領域部分に対向させて形成し、両凹部と、両凹部の間の側壁部分で壜体掴持のためのグリップ部をウエスト部に連結させて形成する。【選択図】              図１
2007176506.tif 000002
【特許請求の範囲】
【請求項１】
平断面形状が長方形状の胴部(4)を有し、略中央高さ位置に周溝状のウエスト部(7)を形成した角型壜体であって、前記長方形状の長辺側を形成する両長辺側壁(5L)のそれぞれに、指掛けのための凹部(12)を、上端部を前記ウエスト部(7)に連結させた状態で、該ウエスト部(7)から下方に至る所定領域部分に対向させて形成し、前記両凹部(12)と、該両凹部(12)の間の側壁(5)部分で壜体掴持のためのグリップ部(11)を前記ウエスト部(7)に連結させて形成する構成とした合成樹脂製角型壜体。
【請求項２】
胴部(4)が、一対の長辺側壁(5L)と、長方形状の短辺側を形成する一対の短辺側壁(5S)と、隣接する前記長辺側壁(5L)と短辺側壁(5S)を角取り状に連結する４ケのコーナー側壁(5C)で形成される構成とした請求項１記載の合成樹脂製角形壜体。
【請求項３】
一方の凹部(12)から他方の凹部(12)に至る側壁(5)を、ウエスト部(7)上端から下方に至る所定の高さ範囲において段差状に凹ませて背壁部分(16)を形成し、前記両凹部(12)と背壁部分(16)でグリップ部(11)を構成した請求項１または２記載の合成樹脂製角型壜体。
【請求項４】
少なくとも一方の凹部(12)に複数の指先が指掛け可能に、両凹部(12)を縦長状に形成した請求項１、２または３記載の合成樹脂製角型壜体。
【請求項５】
凹部(12)内に、横断状に、該凹部(12)を補強すると共に、ウエスト部(7)との間で指掛け状態を安定にするための突条リブ(13)を形成した請求項１、２、３または４記載の合成樹脂製角型壜体。
【請求項６】
凹部(12)内に、横断状に、該凹部(12)を補強する補強リブ(14)を形成した請求項１、２、３、４または５記載の合成樹脂製角型壜体。
【請求項７】
両凹部(12)の底面間に係る横幅(Wa)を５５〜７０ｍｍ、背壁部分(16)の上端部近傍の横幅(Wb)を７０〜８０ｍｍの範囲とした請求項２、３、４、５または６記載の合成樹脂製角型壜体。
【請求項８】
一方の凹部(12)から背壁部分(16)を経由して他方の凹部(12)に至るグリップ部(11)の周長(Lg)を１４０〜１８０ｍｍの範囲とした請求項２、３、４、５、６または７記載の合成樹脂製角型壜体。
【請求項９】
背壁部分(16)を、その横幅が下方に向けて拡幅するように形成した請求項２、３、４、５、６、７または８記載の合成樹脂製角型壜体。
【請求項１０】
背壁部分(11)に、左右方向に延びる横リブ(18)を形成した請求項２、３、４、５、６、７、８または９記載の合成樹脂製角型壜体。
【請求項１１】
長辺側壁(5L)のウエスト部(7)の下方に、凹部(12)に連結して減圧吸収パネル(19)を形成した請求項１、２、３、４、５、６、７、８、９または１０記載の合成樹脂製角型壜体。
【発明の詳細な説明】
【技術分野】
【０００１】
本発明は胴部に指掛けのための凹部を形成した合成樹脂製角型壜体に関する。
【背景技術】
【０００２】
従来より、ポリエチレンテレフタレート（以下ＰＥＴと記す。）樹脂製等の合成樹脂製壜体は、各種飲料用、食品用等の容器として広く利用されているが、特に容量が２L程度以上の大型になると、用途に応じて、手で確実に掴持するため把手を付設したりする。また、角型壜体では胴部の中央高さ位置に形成されたウエスト部の一部に指掛となる凹部を形成する方法が一般的である（たとえば特許文献１の図１参照）。
【特許文献１】特開２００２−１４５２３３号公報
【発明の開示】
【発明が解決しようとする課題】
【０００３】
しかしながら、角型壜体でウエスト部の一部に指掛となる凹部を形成する方法では、壜体形状を大きく変える必要はないが、凹部の形成できる範囲も限定されるので、相対向する凹部に第１指と第２指を指掛けして掴持する程度であり、必ずしも十分な掴持性が確保できない。
【０００４】
そこで、本願は特に大型の角型壜体で、壜体の形状を大きく変更することなく胴部に十分に掴持性を発揮できるためのグリップ部を形成することを課題とし、もって掴持性に優れ、安心して使用できる合成樹脂製の角型壜体を提供することを目的とする。
【課題を解決するための手段】
【０００５】
上記技術的課題を解決する請求項１記載の発明の手段は、
平断面形状が長方形状の胴部を有し、略中央高さ位置に周溝状のウエスト部を形成した合成樹脂製の角型壜体において、
長方形状の長辺側を形成する両長辺側壁のそれぞれに、指掛けのための凹部を、上端部をウエスト部に連結させた状態で、ウエスト部から下方に至るの所定領域部分に対向させて形成すること、
両凹部と、この両凹部の間の側壁部分で壜体掴持のためのグリップ部をウエスト部に連結させて形成すること、
にある
【０００６】
請求項１記載の上記構成により、一方の凹部に第１指の指先を掛けて、もう一方の凹部に他の指の指先を掛けると共に、第１指の指先から他の指の指先に至る掌全体でグリップ部をしっかり掴んで壜体を片手で持ち上げて運だり、持ち上げた状態で壜体を傾けて口筒部から内容液を注出することができる。
【０００７】
そして、指掛けのための凹部を、その上端部をウエスト部に連結させた状態で形成すると共に、両凹部と、この両凹部の間の側壁部分で壜体掴持のためのグリップ部をウエスト部に連結させて形成することにより、掴持した手の側部、すなわち第１指から第２指等にかけての側部の略全長さ範囲を、周溝状のウエスト部に当てて、安定して壜体を掴持することができる。
【０００８】
このように元々形成されているウエスト部に連結して、このウエスト部を利用してグリップ部を構成するので、壁面の形状を複雑にすることもなく、壜体自体の剛性、あるいは座屈強度を大きく損なうことなく凹部も含めたグリップ部を形成することができる。
また、ウエスト部の上方では、シュリンクラベルで胴部の上半分部分全体を外装することもできる。
【０００９】
請求項２記載の発明の手段は、請求項１記載の発明において、胴部が、一対の長辺側壁と、長方形状の短辺側を形成する一対の短辺側壁と、隣接する長辺側壁と短辺側壁を角取り状に連結する４ケのコーナー側壁で形成される構成とすること、にある。
【００１０】
請求項２記載の上記構成により、４ケのコーナー側壁を設けることにより、このコーナー側壁により壜体を支える柱部として機能を発揮させて、壜体の剛性そして、座屈強度を高いレベルで保持することができる。また、このコーナー側壁を利用してグリップ部を構成することにより、指の根元をこのコーナー側壁に当てるようにして、より確実に壜体の胴部を片手で掴持することができる。
【００１１】
請求項３記載の発明の手段は、請求項１または２記載の発明において、
一方の凹部から他方の凹部に至る側壁を、ウエスト部の上端から下方に至る所定の高さ範囲において段差状に凹ませて背壁部分を形成し、両凹部と背壁部分でグリップ部を構成すること、にある。
【００１２】
請求項３記載の上記構成により、一方の凹部から他方の凹部に至る側壁を、ウエスト部の上端から下方に至る所定の高さ範囲において段差状に凹ませて背壁部分を形成することにより、第１指の指先から第２指等の指先に至る掌の側部をウエスト部に下方からよりしっかりと当接させるようにして係止させてグリップ部を掴持することができ、片手での掴持性をより安定したものとすることができる。
ここで、背壁部分の段差の深さ、および高さ範囲は、壜体の大きさと、掌の大きさ、そして外観等を考慮して決めることができる設計事項である。
【００１３】
請求項４記載の発明の手段は、請求項１、２または３記載の発明において、少なくとも一方の凹部に複数の指先が指掛け可能に、両凹部を縦長状に形成すること、にある。
【００１４】
壜体を掴持する際には一方の凹部に第１指を掛けて、もう一方の凹部に他の指を掛けるようにするが、請求項４記載の上記構成により、凹部を縦長状に形成して少なくとも一方の凹部に第１指以外の指を複数掛けることができるようにすることにより、より大型の壜体を、内容物が充填され重量が大きな状態でも、より安定して掴持することができる。
【００１５】
請求項５記載の発明の手段は、請求項１、２、３または４記載の発明において、凹部内に、横断状に、該凹部を補強すると共に、ウエスト部との間で指掛け状態を安定にするための突条リブを形成すること、にある。
【００１６】
本発明のように比較的大きな凹部を形成する壜体では、内容液を密閉収納した状態で壜体が落下すると、落下の衝撃により、凹部の中央部付近が反転変形（バックリング）する場合があるが、請求項５記載の上記構成により、凹部内に横断状に突条リブを形成することにより、この突条リブによりバックリングを効果的に防止することができる。
【００１７】
また、凹部に指先を掛けて壜体を掴持する際に、ウエスト部と、この突条リブの間に指先を嵌め込むようにして、指掛け状態をより安定して保持することがきる。特に、突条リブにより指先の、壜体下方への滑り止め機能が発揮され、たとえば内容液を注ぐときに壜体を倒立に近い姿勢に傾けた際にも片手で安定して掴持することができる。
【００１８】
ここで、突条リブの形成個数、形成位置は、バックリングに係る補強効果、指先の掛けやすさ等を考慮して決めることができる設計事項である。
【００１９】
請求項６記載の発明の手段は、請求項１、２、３、４または５記載の発明において、凹部内に、横断状に、この凹部を補強する補強リブを形成すること、にある。
【００２０】
請求項６記載の上記構成により、補強リブにより凹部のバックリングに係る補強効果を十分発揮させることができる。
補強リブとしては突条の突条補強リブと溝状の溝状補強リブがあるが、凹部に突条補強リブ複数形成すると、前述した突条リブと同様に凹部における指の位置決めを明確にすることができるが、一方で、たとえば指の太さ等の個人差があるので、凹部に指を進入させる際に煩わしさを感じる場合がある。その点溝状補強リブは指先に係る滑り止め効果は小さいが、指先を自然に凹部に進入させることができる。
【００２１】
そこで、凹部のバックリングに係る補強機能、指先の滑り止め機能、指先の配置機能、凹部への指先の進入し易さ等を考慮して、突条補強リブと溝状補強リブを適宜組み合わせて形成するのが好ましい。もちろん、たとえば突条補強リブだけを１ケあるいは複数、あるいは溝状補強リブだけを１ケあるいは複数形成する構成とすることもできる。
【００２２】
請求項７記載の発明の手段は、請求項２、３、４、５または６記載の発明において、凹部の底面間に係る横幅を５５〜７０ｍｍ、背壁部分の上端部近傍の横幅を７０〜８０ｍｍの範囲とすること、にある。
【００２３】
請求項７記載の上記構成は、一般の人の掌の平均的な大きさ考慮してグリップ部の形状を決めるものである。本発明のグリップ部を手で握って壜体を掴持する場合、主として第１指の指先と他の指の指先で荷重を支えることになり、凹部の底面間に係る幅は第１指の指先と他の指の指先との間隔に関連し、背壁部分の上端部近傍の横幅は第１指の根元と、他の指の根元との間隔に関連する寸法であり、それぞれ上記の範囲とすることにより、多くの人にとって良好なグリップ性が発揮される。
【００２４】
請求項８記載の発明の手段は、請求項２、３、４、５、６または７記載の発明において、一方の凹部から背壁部分を経由して他方の凹部に至るグリップ部の周長を１４０〜１８０ｍｍの範囲とすること、にある。
【００２５】
請求項８記載の上記構成も、一般の人の掌の平均的な大きさ考慮してグリップ部の形状を決めるものである。このグリップ部の周長は第１指の先端部から主として第２指の先端部に至る長さを考慮して定めたものであり、この寸法を上記のような範囲とすることにより、多くの人にとって良好なグリップ性が発揮される。
【００２６】
請求項９記載の発明の手段は、請求項２、３、４、５、６、７または８記載の発明において、背壁部分を、その横幅が下方に向けて拡幅するように形成すること、にある。
【００２７】
請求項９記載の上記構成により、背壁部分をその横幅が下方に向けて拡幅するように形成することにより、さらに掴持がし易くなり、また座屈強度も向上する。
【００２８】
請求項１０記載の発明の手段は、請求項２、３、４、５、６、７、８または９記載の発明において、背壁部分に、左右方向に延びる横リブを形成すること、にある。
【００２９】
請求項１０記載の上記構成により、背壁部分に、左右方向に延びる横リブを形成することにより、グリップ部に作用する把持力により、この背壁部分が妄りに撓み変形してグリップ性が低下しないように、あるいは背壁部分の変形により内容液が噴出することがないようにすることができる。
【００３０】
請求項１１記載の発明の手段は、請求項１、２、３、４、５、６、７、８、９または１０記載の発明において、長辺側壁のウエスト部の下方に、凹部に連結して減圧吸収パネルを形成すること、にある。
【００３１】
請求項１１記載の上記構成により、高温充填処理工程を要する用途に使用される耐熱性壜体では、胴部の側壁にその周縁部を段差部で囲うようにして、平坦あるいは凹状の減圧吸収パネルを配設するが、指掛け用の凹部に連結して減圧吸収パネルを形成することにより、この凹部も含んだ大きな面積で減圧吸収機能を発揮させることができる。
【発明の効果】
【００３２】
本発明は、上記した構成となっているので、以下に示す効果を奏する。
請求項１記載の発明にあっては、指掛けのための凹部を、上端部をウエスト部に連結させた状態で形成すると共に、両凹部と、この両凹部の間の側壁部分で壜体掴持のためのグリップ部をウエスト部に連結させて形成することにより、掴持した第１指から第２指等にかけての側部の略全長さ範囲を、ウエスト部に係止させることができ、安定して壜体を掴持することができる。
【００３３】
また、元々形成されているウエスト部を利用してグリップ部を構成するので、側壁面の形状を複雑にすることもなく、壜体自体の剛性、あるいは座屈強度を大きく損なうことなく凹部も含めたグリップ部を形成することができる。
【００３４】
請求項２記載の発明にあっては、コーナー側壁により壜体を支える柱部として機能を発揮させて、壜体の剛性そして、座屈強度を高いレベルで保持することができ、また、このコーナー側壁を利用してグリップ部を構成することにより、より確実に壜体の胴部を片手で掴持することができる。
【００３５】
請求項３記載の発明にあっては、ウエスト部の上端から下方に至る所定の高さ範囲において段差状に凹ませて背壁部分を形成することにより、第１指の指先から第２指等の指先に至る掌の側部を下方からウエスト部によりしっかりと係止させるようにしてグリップ部を掴持することができ、片手での掴持性をより安定したものとすることができる。
【００３６】
請求項４記載の発明にあっては、凹部を縦長状に形成して、一方の凹部に第１指以外の指を複数掛けるようにすることにより、より大型の壜体で、内容物が充填され重量が大きな状態でも、より安定して掴持することができる。
【００３７】
請求項５記載の発明にあっては、凹部内に横断状に突条リブを形成することにより、バックリングを効果的に防止することができ、またウエスト部と、この突条リブの間に指先を嵌め込むようにして指掛け状態を安定して保持することがきる。
【００３８】
請求項６記載の発明にあっては、補強リブにより、凹部のバックリングに係る補強効果を発揮させることができる。
【００３９】
請求項７記載の発明にあっては、凹部の底面間に係る横幅を５５〜７０ｍｍ、背壁部分の上端部近傍の横幅を７０〜８０ｍｍの範囲とすることにより、多くの人にとって良好なグリップ性が発揮される。
【００４０】
請求項８記載の発明にあっては、グリップ部の周長を１４０〜１８０ｍｍの範囲とすることにより、多くの人にとって良好なグリップ性が発揮される。
【００４１】
請求項９記載の発明にあっては、背壁部分をその横幅が下方に向けて拡幅するように形成することにより、さらに掴持がし易くなり、また座屈強度も向上する。
【００４２】
請求項１０記載の発明にあっては、背壁部分に、左右方向に延びる横リブを形成することにより、グリップ部に作用する把持力により、この背壁部分が妄りに撓み変形してグリップ性が低下しないように、あるいは背壁部分の変形により内容液が噴出することがないようにすることができる。
【００４３】
請求項１１記載の発明にあっては、指掛け用の凹部に連結して減圧吸収パネルを形成することにより、この凹部も含んだ大きな面積で減圧吸収機能を発揮させえることができる。
【発明を実施するための最良の形態】
【００４４】
以下本発明の実施の形態を図面を参照して説明する。
図１〜図４は本発明の合成樹脂製角型壜体の第１実施例を示すものである。図１は側面図、図２は背面図、図３は正面図、図４（ａ）は図１中のＡ−Ａ線に沿って示す平断面図、図４（ｂ）は図４（ａ）において手で掴持した状態を示す説明図である。この壜体１はＰＥＴ樹脂製の二軸延伸ブロー成形品であり、口筒部２、肩部３、胴部４、底部８を有する通称容量が２Ｌの角型壜体である。
【００４５】
また、胴部４の平断面形状は略長方形状であり（図４（ａ）参照）、この胴部４は、長辺側を形成する一対の長辺側壁５Ｌと、短辺側を形成する一対の短辺側壁５Ｓと、隣接する長辺側壁５Ｌと短辺側壁５Ｓを角取り状に連結する４ケのコーナー側壁５Ｃで形成されている。
そして、胴部４の略中央高さ位置には壜体１の剛性を高くするために周溝状にウエスト部７が形成されている。
【００４６】
また、一対の、指掛けのための縦長の凹部１２が、両長辺側壁５Ｌの後方（図１では右側）に寄った部分の、ウエスト部７から下方に至る領域部分に、相対向して形成されている。また、一方の凹部１２から他方の凹部１２に至る側壁５を、ウエスト部７上端から下方に至る所定の高さ範囲において段差状に凹ませて背壁部分１６が形成されており、両凹部１２と、この背壁部分１６でグリップ部１１が構成されている（図４（ａ）中の白抜き矢印参照）。
【００４７】
そして、凹部１２内には、横断状に突条リブ１３と、その下に補強リブ１４の１形態である突条補強リブ１４ａが形成されており、凹部１２を縦方向に上から順に３つの小凹部１２ａ、１２ｂ、１２ｃに分割するようにしている。この突条リブ１３と突条補強リブ１４ａは掴持する際の各指の配置を決める機能、指の壜体下方への滑り止め機能、そして、凹部１２のバックリングを防止するための補強機能を発揮する。
【００４８】
また、背壁部分１６には、左右方向に延びる横リブ１８が多数（本実施例では４ケ）形成されており、これによりグリップ部１１に作用する把持力により、この背壁部分１６が妄りに撓み変形してグリップ性が低下しないように、あるいは背壁部分１６の瞬時の変形により内容液が噴出することがないようにすることができる。また、背壁部分１６は、その横幅が下方に向けて拡幅するように形成されており、これにより、さらに掴持がし易くなり、また座屈強度も向上する。
【００４９】
また、各長辺側壁５Ｌと短辺側壁５Ｓにはそれぞれウエスト部７の上下に減圧吸収パネル１９が形成されている。その中で長辺側壁５Ｌのウエスト部７の下方では、凹部１２の形成が減圧吸収パネル１９の減圧吸収機能を損なわないように、凹部１２に連結して減圧吸収パネル１９を形成し、この凹部１２も含む大きな面積で減圧吸収機能が十分発揮されるようにしている。
【００５０】
本実施例の角形壜体の各部分の具体的な寸法を下に示す。
・壜体高さ；３０５ｍｍ
・胴部４の長辺側横幅；１０６ｍｍ、短辺側横幅；９０ｍｍ
・凹部１２底面間に係る横幅Ｗａ；６２ｍｍ
・背壁部分１６の上端部近傍の横幅Ｗｂ；７３ｍｍ
・グリップ部１６の周長Ｌｇ；１４５ｍｍ
なお、Ｗａ、Ｗｂ、Ｌｇについては図４（ａ）参照。
【００５１】
本実施例の壜体１を掴持する際には、たとえば、一方の凹部１２では第１指の指先を小凹部１２ａに掛けて、他方の凹部１２では第２指の指先を小凹部１２ａに、次に第３指の指先を小凹部１２ｂに、さらに第４指と第５指の指先を小凹部１２ｃに掛けて掴持することができる（図１、および図４（ａ）、（ｂ）参照）。
【００５２】
そして、図４（ｂ）に示されるように、グリップ部１１を掴持することにより第１指の指先から根元に至る部分、第２指の指先から根元に至る部分の側部を、ウエスト部６に下方から当接するようにしっかりと係止させることができ、指が壜体１上方へ、ずれたり、滑ったりするのを確実に防ぐことができる。
また、突条リブ１３と突条補強リブ１４ａは壜体１下方への、ずれ、あるいは滑りを効果的に止めることができ、たとえば内容液を注ぐときに壜体１を倒立に近い姿勢に傾けた際にも片手で安定して掴持することができる。
なお、勿論のことであるが小凹部１２ａ、１２ｂ、１２ｃへの各指の配置は上記のような配置に限定されるものではなく使用者が使用時の状況に応じて、意識的に、あるいは無意識に選択するものである。
【００５３】
次に図５と図６は本発明の合成樹脂製角型壜体の第２施例を示す側面図と背面図で、この壜体１は上記した第１実施例の壜体１において、凹部１２のバックリングを防止するための補強方法の他の例を示すものである。本実施例では、第１実施例における凹部１２内の突条補強リブ１４ａの替わりに、溝状補強リブ１４ｂを形成している。
【００５４】
第１実施例の突条リブ１３と突条補強リブ１４ａのように突条部分を複数形成すると、凹部１２における指の位置決めを明確にすることができるが、一方で、たとえば指の太さ等の個人差があるので凹部１２に指を進入させる際に煩わしさを感じる場合がある。その点、本実施例のように突条補強リブ１４ａの替わりに溝状補強リブ１４ｂとすることにより指先を自然に凹部１２に進入させることができる。
ここで、溝状補強リブ１４ｂの、指先の壜体１下方への滑りを止める効果は小さいので突条リブ１３は残しておくのが好ましい。
【００５５】
以上、実施例に沿って本発明の実施の形態、およびその作用効果を説明したが、本発明の実施態様は上記実施例に限定されるものではない。
上記実施例では容量が２Ｌの角型壜体について説明したが、本発明のグリップ部はさらに大型の壜体においても、その良好な掴持性が発揮される。また、凹部の形状あるいは形成位置はさまざまのバリエーションを有するが、壜体がさらに大型になれば、凹部の形成位置をより後方に寄せる等することにより、良好な掴持性を確保することができる。
【産業上の利用可能性】
【００５６】
以上説明したように、本発明の角型壜体は、壜体の形状を大きく変更することなく胴部に十分に掴持性を発揮できるためのグリップ部を形成したものであり、特に大型の角型壜体の分野で幅広い用途展開が期待される。
【図面の簡単な説明】
【００５７】
【図１】本発明の壜体の第１実施例を示す側面図である。
【図２】図１の壜体の背面図である。
【図３】図１の壜体の正面図である。
【図４】図１中のＡ−Ａ線に沿って示す（ａ）平断面図と、（ｂ）手で掴持した状態を示す説明図である。
【図５】本発明の壜体の第２実施例を示す側面図である。
【図６】図５の壜体の背面図である。
【符号の説明】
【００５８】
１  ；壜体
２  ；口筒部
３  ；肩部
４  ；胴部
５  ；側壁
５Ｌ；長辺側壁
５Ｓ；短辺側壁
５Ｃ；コーナー側壁
７  ；ウエスト部
８  ；底部
１１；グリップ部
１２；凹部
１２ａ、１２ｂ、１２ｃ；小凹部
１３；突条リブ
１４；補強リブ
１４ａ；突条補強リブ
１４ｂ；溝状補強リブ
１６；背壁部分
１８；横リブ
１９；減圧吸収パネル
Ｗａ；（底面間）横幅
Ｗｂ；（背壁部分）横幅
Ｌｇ；（グリップ）周長
Ｈ  ；掌
【図１】
2007176506.tif 000003
【図２】
2007176506.tif 000004
【図３】
2007176506.tif 000005
【図４】
2007176506.tif 000006
【図５】
2007176506.tif 000007
【図６】
2007176506.tif 000008